(57)【要約】【課題】人間が座る便座を自動的に洗浄可能で、洗浄水が便器本体の周囲に飛散することがない洋式トイレ装置を得る。【解決手段】腰掛け型の便器本体１０と、便器使用時に便器本体１０の上に配置される便座１１と、便器本体１０の上に配置された便座１１を覆う閉蓋位置と、便座１１を開放する開蓋位置との間を移動する便蓋１２とを有する洋式トイレ装置において、便座上面１１ａに洗浄水を吹き付けてそこを洗浄する洗浄手段２０と、洗浄が終わった後に便座上面１１ａに空気を吹き付ける乾燥手段３０とを設ける。その上でさらに、上記洗浄がなされるとき便座１１の下側に位置する底板５０ａおよび、便座１１を側外方から囲う側壁５０ｂからなり、便座１１よりも外側に飛散する洗浄水を側壁５０ｂで受け止めるとともに、底板５０ａに落ちた洗浄水を該底板５０ａの内縁から便器本体１０内に導く水受け皿５０を設ける。【選択図】図１
2009254607.tif 000002
【特許請求の範囲】
【請求項１】
腰掛け型の便器本体と、
便器使用時に前記便器本体の上に配置される便座と、
この便器本体の上に配置された便座を上方から覆う閉蓋位置と、この閉蓋位置から離れて便座を開放する開蓋位置との間で移動可能とされた便蓋とを備えてなる洋式トイレ装置において、
前記便座が便器本体の上に配置され、かつ便蓋が前記閉蓋位置に配されたとき、これらの便座と便蓋との間に位置し、該便座の上面に洗浄水を吹き付けてこの上面を洗浄する洗浄手段と、
前記洗浄が終わった後に前記便座の上面に空気を吹き付けてこの上面を乾燥させる乾燥手段と、
前記洗浄がなされるとき前記便座の下側に位置する底板および、この底板の外縁から立ち上がって便座を側外方から囲う側壁からなり、前記便座よりも外側に飛散する洗浄水を前記側壁で受け止めるとともに、前記底板に落ちた洗浄水を該底板の内縁から前記便器本体内に導く水受け皿とを備えたことを特徴とする洋式トイレ装置。
【請求項２】
前記洗浄手段が、前記便座の上面に沿って延びる配管からこの上面に向けて洗浄水を噴出するものであることを特徴とする請求項１記載の洋式トイレ装置。
【請求項３】
前記洗浄手段が、前記洗浄水を便座の上面に吹き付ける際に同時にこの上面にブラッシング用空気を吹き付ける手段と、それらの洗浄水およびブラッシング用空気により動かされて便座の上面上で摺動する短冊状部材とを備えていることを特徴とする請求項１または２記載の洋式トイレ装置。
【請求項４】
前記ブラッシング用空気を吹き付ける手段として、前記乾燥手段が兼用されていることを特徴とする請求項３記載の洋式トイレ装置。
【請求項５】
前記便座の上面の洗浄がなされるとき、この上面に向けて消毒液を流す手段を備えていることを特徴とする請求項１から４いずれか１項記載の洋式トイレ装置。
【発明の詳細な説明】
【技術分野】
【０００１】
本発明は洋式トイレ装置に関し、特に詳細には、人間が座る便座の上面を洗浄する機能を備えた洋式トイレ装置に関するものである。
【背景技術】
【０００２】
従来、いわゆる和式トイレに対して洋式トイレと称される装置が広く実用に供されている。この洋式トイレ装置は、使用者が腰掛け姿勢で使用できるようにしたものであり、基本的に、腰掛け型の便器本体と、便器使用時に前記便器本体の上に配置される便座と、この便器本体の上に配置された便座を上方から覆う閉蓋位置と、この閉蓋位置から離れて便座を開放する開蓋位置との間で移動可能とされた便蓋とを備えてなるものである。
【０００３】
ところで、この種の洋式トイレにおいては、使用者の臀部等の皮膚が便座の上に直接触れることから、便座が使用者によって汚染される可能性がある。この汚染としては、皮脂や汗などによる単純な汚染の他に、深刻なものとして病原菌による汚染も実際に認められている。したがってこの洋式トイレ、特に公衆の利用に供されるトイレの使用者の中には、以前の使用者による便座汚染からの悪影響を避けたいと思う者も数多く存在する。
【０００４】
そのような要求に対応するために、従来、紙等からなる便座シートをトイレの傍らに備えておき、使用時にはそのシートを便座の上に敷いてからトイレを使用して貰う、といった対策も考えられている。しかしその種の便座シートには、敷くのが面倒である、便座の上に綺麗に敷くのが難しい、使用中にずれやすい、といった問題が認められている。
【０００５】
そこで、これらの問題を解決するものとして、例えば特許文献１に示されるように、便座の上を該便座にそって移動する洗浄ヘッドを備え、このヘッドから便座上面に洗浄水を吹き付けてそこを自動洗浄する装置も提案されている。
【特許文献１】特開２０００−１６０６３１号公報
【発明の開示】
【発明が解決しようとする課題】
【０００６】
ところが、特許文献１に記載されている装置においては、洗浄水が便器本体の周囲に飛散して床を汚すことがある、さらには、移動する洗浄ヘッドを備えているため構造が複雑でコストが高くつく、といった問題がある。
【０００７】
本発明は上記の事情に鑑みてなされたものであり、人間が座る便座を自動的に洗浄可能で、しかもその洗浄を行う洗浄水が便器本体の周囲に飛散することがない洋式トイレ装置を提供することを目的とする。
【０００８】
また本発明は、上記目的を達成した上でさらに、構造が比較的簡単で低コストで形成することができる洋式トイレ装置を提供することを目的とする。
【課題を解決するための手段】
【０００９】
本発明による洋式トイレ装置は、前述したような基本構造を有する洋式トイレ装置すなわち、
腰掛け型の便器本体と、
便器使用時に前記便器本体の上に配置される便座と、
この便器本体の上に配置された便座を上方から覆う閉蓋位置と、この閉蓋位置から離れて便座を開放する開蓋位置との間で移動可能とされた便蓋とを備えてなる洋式トイレ装置において、
前記便座が便器本体の上に配置され、かつ便蓋が前記閉蓋位置に配されたとき、これらの便座と便蓋との間に位置し、該便座の上面に洗浄水を吹き付けてこの上面を洗浄する洗浄手段と、
前記洗浄が終わった後に前記便座の上面に空気を吹き付けてこの上面を乾燥させる乾燥手段と、
前記洗浄がなされるとき前記便座の下側に位置する底板および、この底板の外縁から立ち上がって便座を側外方から囲う側壁からなり、前記便座よりも外側に飛散する洗浄水を前記側壁で受け止めるとともに、前記底板に落ちた洗浄水を該底板の内縁から前記便器本体内に導く水受け皿とを備えたことを特徴とするものである。
【００１０】
ここで、上記の洗浄水としては、水道水等の通常の上水や、あるいはタンクに貯留しておいた井戸水等を適用することができる。さらには、そのような水に適当な消毒液を混合させたもの等も適用可能である。
【００１１】
なお、上述のように機能する洗浄手段および乾燥手段は、トイレを使用した者が次の使用者のためにボタン操作をする等により作動するようにしてもよいし、あるいは、トイレ使用後に水が流されたことをセンサによって確認したならば、それに続けて自動的に作動開始するようにしてもよい。
【００１２】
前者の手動操作の場合は、便蓋が閉蓋位置にあることを検出するセンサを設け、それにより便蓋が閉蓋位置にあることが確認されない限り、ボタン操作をしても洗浄手段および乾燥手段が作動しないようにロックすることが望ましい。さらには、そのように作動をロックした後、便蓋を駆動装置によって自動的に閉蓋位置に設定し、その設定が確認されたなら、洗浄手段および乾燥手段を作動させるようにしてもよい。そのように便蓋を駆動手段によって自動的に閉蓋位置に設定する手法は、後者の自動操作の場合に適用することもできる。
【００１３】
また、上述のように便座を側外方から囲う水受け皿の側壁は、その上端が、便座上面の外縁部よりも上方に位置する形状として、便座上面で跳ねて側外方に飛び散る洗浄水を、この側壁で遮断できるようにするのが望ましい。
【００１４】
一方便蓋は、便座の洗浄がなされるとき閉蓋位置に設定されて便座の上方に位置するので、便座の上面等で跳ねて上方に飛び散る洗浄水を遮断し、便器本体内に落とすことができる。なお、この便蓋の外縁部も、上記水受け皿の側壁と協働して、上述のように側外方に飛び散る洗浄水を全て遮断できるように形成されるのが望ましい。
【００１５】
また、上記洗浄手段としては、例えば、便座の上面に沿って延びる配管からこの上面に向けて洗浄水を噴出するものを好適に用いることができる。
【００１６】
さらにこの洗浄手段としては、洗浄水を便座の上面に吹き付ける際に同時にこの上面にブラッシング用空気を吹き付ける手段と、それらの洗浄水およびブラッシング用空気により動かされて便座の上面上で摺動する短冊状部材とを備えてなるものがより好適に用いられる。その場合、便座の上面にブラッシング用空気を吹き付ける手段としては、前記乾燥手段が兼用されるのが望ましい。
【００１７】
また、本発明の洋式トイレ装置においては、便座上面の洗浄がなされるとき、この上面に向けて消毒液を流す手段が設けられることが望ましい。
【発明の効果】
【００１８】
本発明の洋式トイレ装置は、便座が便器本体の上に配置され、かつ便蓋が閉蓋位置に配されたとき、これらの便座と便蓋との間に位置し、該便座の上面に洗浄水を吹き付けてこの上面を洗浄する洗浄手段と、洗浄が終わった後に便座の上面に空気を吹き付けてこの上面を乾燥させる乾燥手段とが設けられたことにより、汚れた可能性の有る便座上面が綺麗に洗浄されて、その後に別の使用者が安心して使用できるものとなる。
【００１９】
そしてこの洋式トイレ装置においては、洗浄がなされるとき便座の下側に位置する底板および、この底板の外縁から立ち上がって便座を側外方から囲う側壁からなり、便座よりも外側に飛散する洗浄水を上記側壁で受け止めるとともに、上記底板に落ちた洗浄水を該底板の内縁から便器本体内に導く水受け皿が設けられているので、便座から下側に落ちる洗浄水や、便座上面で跳ねて側方に飛ぶような洗浄水はこの水受け皿で受け止められるようになり、よってトイレ装置周りの床が洗浄水で汚されることを確実に防止可能となる。また、便座上面で跳ねて上方に飛ぶ洗浄水も、閉蓋位置にある便座によって受け止められて、便器本体内に落とされるので、このような洗浄水によって床等が汚されることも防止できる。
【００２０】
また上記の洗浄手段として、特に、便座の上面に沿って延びる配管からこの上面に向けて洗浄水を噴出するものが用いられた場合は、洗浄ヘッドが便座に沿って移動するような洗浄手段と比べると、便座洗浄のための構造が著しく簡素化されるので、トイレ装置のコストを低く抑えることができる。
【００２１】
さらにこの洗浄手段として、特に、洗浄水を便座の上面に吹き付ける際に同時にこの上面にブラッシング用空気を吹き付ける手段と、それらの洗浄水およびブラッシング用空気により動かされて便座の上面上で摺動する短冊状部材とを備えてなるものが適用された場合は、より確実な洗浄効果が得られる。すなわち、このような短冊状部材が設けられていると、その摺動によって便座の上面をブラッシングする効果が得られるので、洗浄水を吹き付けただけでは落ちないような汚れも良く落ちるようになる。
【００２２】
そして、上記のように便座上面にブラッシング用空気を吹き付ける手段として、前記乾燥手段が兼用される場合は、ブラッシングを行うための追加コストを低く抑えることができる。
【００２３】
また、本発明の洋式トイレ装置において、特に、便座の上面の洗浄がなされるとき、この上面に向けて消毒液を流す手段が設けられた場合は、その消毒液の作用によって、便座上面をさらに清潔に保つことが可能になる。
【発明を実施するための最良の形態】
【００２４】
以下、図面を参照して本発明の実施形態を詳細に説明する。図１は、本発明の一実施形態による洋式トイレ装置を示すものであり、また図２はその要部の断面形状を示すものである。なおこの図２は、後述する便蓋１２が閉じられた状態において、図１のＡ−Ａ線に沿った断面部分を示すものである。
【００２５】
図示の通りこの洋式トイレ装置１は一般的な洋式トイレ装置と同様に、腰掛け型の便器本体１０と、便器使用時に便器本体１０の上に配置される便座１１と、便器本体上に配置されたこの便座１１を上方から覆う閉蓋位置（図２に示す位置）と、この閉蓋位置から離れて便座１１を開放する開蓋位置（図１に示す位置）との間で移動可能とされた便蓋１２とを備えている。なおこの移動は、例えばトイレ使用者が手操作により、揺動軸１３を中心に矢印Ｂ方向に便蓋１２を動かすことによってなされるが、その他に、駆動手段を用いて自動的に行うようにしても構わない。
【００２６】
さらにこの洋式トイレ装置１は、便座１１が便器本体１０の上に配置され、かつ便蓋１２が前記閉蓋位置に配されたとき、これらの便座１１と便蓋１２との間に位置し、該便座１１の上面１１ａに洗浄水を吹き付けてそこを洗浄する洗浄手段２０と、この洗浄が終わった後に便座上面１１ａに空気を吹き付けてそこを乾燥させる乾燥手段３０と、水受け皿５０とを備えている。
【００２７】
上記乾燥手段３０は、便座１１と同じように大略環状に形成されたダクト３１と、このダクト３１に乾燥用空気を送る後述の手段から構成されている。ダクト３１は、一例として断面が角筒状に形成されたものであり、その表面（便座１１を向く方の表面）３１ａには空気噴出用の多数のノズル孔３１ｂが設けられている。これらのノズル孔３１ｂは、環状のダクト表面３１ａの内周に沿って１列に並び、そしてそれらと所定間隔を置いて、外周に沿って１列に並ぶように形成されている。
【００２８】
それらのノズル孔３１ｂは後述するように、便座上面１１ａを乾燥させる空気を噴出するためのものであり、全てダクト中央側に空気を噴出する向きに形成されている（図２参照）。また図３に示すように、一方の列のノズル孔３１ｂと他方の列のノズル孔３１ｂとは互い違い状態に、つまり一方の列の２つのノズル孔３１ｂの中間部分の延長上に、他方の列の１つのノズル孔３１ｂが位置する状態に形成されている。
【００２９】
このダクト３１は、便蓋１２と共通の揺動軸１３の周りに揺動可能とされている。そしてダクト３１の基部は、上記の揺動を許容する可撓管（フレキシブルホース）３２およびそれに接続した配管３３を介して、ブロワ３４の空気吐出口に連通されている。
【００３０】
洗浄手段２０は、後述する要素２１〜２４および４０〜４９から構成されている。すなわちこの洗浄手段２０は、それぞれが上記ダクト表面３１ａに沿って延びるように該表面３１ａの上に保持された１本の洗浄水配管２１と、１本の保持部材２２と、１本の消毒液配管２３とを備えている。保持部材２２には、ほぼその全長に亘って多数の短冊状部材２４が取り付けられている（図１では、煩雑化を避けるために一部のみ表示）。これらの短冊状部材２４は例えば薄くて柔らかい合成樹脂等から形成されたものであり、洗浄水配管２１と消毒液配管２３との間に配設された保持部材２２に一端が固定され、その一端から先の部分は自由に動く状態となっている。
【００３１】
以上の要素２１〜２４は、ダクト表面３１ａに前述のように形成された１列のノズル孔３１ｂと、別の１列のノズル孔３１ｂとの間に配設されている。そしてこれらの要素２１〜２４はダクト３１に固定されているので、ダクト３１が上述のように揺動すると、それと一緒に全体的に揺動する。
【００３２】
洗浄水配管２１の表面（該配管２１が便座１１の上に配置された状態で便座上面１１ａ側を向く表面）には、多数のノズル孔２１ａが設けられている。そしてこの洗浄水配管２１は、上記の揺動を許容する可撓管（フレキシブルホース）４０およびそれに接続した配管４１を介して、洗浄水ポンプ４２の吐出口に連通されている。この洗浄水ポンプ４２の吸込口は、配管４３を介して洗浄水タンク４４に連通されている。なおこの洗浄水タンク４４としては、トイレ使用後に便器本体１０内を流すために通常設けられる洗浄水タンクが兼用されてもよいし、あるいはそれとは別に専用のタンクが用いられてもよい。
【００３３】
一方消毒液配管２３の表面（該配管２３が便座１１の上に配置された状態で便座上面１１ａ側を向く表面）にも、多数のノズル孔２３ａが設けられている。そしてこの消毒液配管２３は、上記の揺動を許容する可撓管（フレキシブルホース）４５およびそれに接続した配管４６を介して、消毒液ポンプ４７の吐出口に連通されている。この消毒液ポンプ４７の吸込口は、配管４８を介して消毒液タンク４９に連通されている。
【００３４】
前記水受け皿５０は、一例として便器本体１０の上に固定された底板５０ａおよび、この底板５０ａの外縁から立ち上がって便座１１を側外方から囲う側壁５０ｂからなる、断面Ｌ字状のものである。なお本実施形態では、上記側壁５０ｂの一部において上端から切欠き５０ｃが設けられている。そして便座１１には側方に突出した把手１１ｃが形成され、この把手１１ｃが上記切欠き５０ｃを通って外に張り出す形となっている。
【００３５】
なお本実施形態の洋式トイレ装置１は、特に尻洗浄装置６０や便座保温装置（図示せず）を備えたタイプのもので、便座１１の横には、それらの装置の動作や、後述する便座洗浄動作を制御するための操作パネル６１が設置されている。
【００３６】
次に、以上の構成を有する本実施形態の洋式トイレ装置１の作用について説明する。この洋式トイレ装置１を使用する際には、基本的に従来の洋式トイレ装置と同じように使用され得る。なお男性の小用時には、上記把手１１ｃを下から持ち上げることによって、便座１１を上に跳ね上げることができる。
【００３７】
トイレの使用後、あるいは使用前に便座上面１１ａを洗浄したい場合には、上記操作パネル６１に設けられた、例えば「便座洗浄」と書かれたボタン６２が押し操作される。すると、そのとき便蓋１２が開蓋位置にあると、図示外の駆動装置により便蓋１２が揺動されて、閉蓋位置まで下げられる。本例においてダクト３１は便蓋１２と一体的に保持されているので、このように便蓋１２が開蓋位置まで動くとき、ダクト３１およびそこに取り付けられた要素２１〜２４も一緒に動く。
【００３８】
またこのとき、ダクト３１内に取り付けられている電磁石６３がＯＮにされる。便座１１の内部には、この電磁石６３と対応する位置に鉄片（図示せず）が固定されているので、もしこのとき便座１１が跳ね上げられた状態にあれば、その鉄片が電磁石６３に引かれることにより、ダクト３１は便座１１と一体化される。そのようになっていれば、便座１１が途中でダクト３１から離れ落ちて、便器本体１０上に強く打ち付けられることがなくなる。これ以外の通常時、上記電磁石６３はＯＦＦ状態にされるので、便座１１を手で持って上げ下げすることは普通に行われ得る。
【００３９】
なお、ダクト３１を便蓋１２と一体的に保持させないで、便蓋１２と独立して揺動可能としておいてもよい。このダクト３１やそこに取り付けられた要素２１〜２４のメンテナンスのことを考慮すると、そのようにしておくのがより好ましい。そしてそのようにする場合は、上記電磁石６３および鉄片のような手段を用いて、便蓋１２が開蓋位置から閉蓋位置に移動するまで、該便蓋１２からダクト３１が離れ落ちないようにすることが望ましい。
【００４０】
図２は、以上の操作により、あるいは人間の手操作によって便蓋１２が閉蓋位置に設定されたときの状態を示している。この状態になっていることが例えば図示外のセンサによって検知されると、次に前述のブロワ３４、洗浄水ポンプ４２および消毒液ポンプ４７が全て駆動される。それにより便座上面１１ａに、洗浄水配管２１のノズル孔２１ａから噴出した洗浄水および、消毒液配管２３のノズル孔２３ａから噴出した消毒液が掛けられる。またそれらの洗浄水および消毒液は、ダクト３１の２列のノズル孔３１ｂから噴出した空気によって便座上面１１ａ上で攪拌されるので、この便座上面１１ａが洗浄水によって洗浄されるとともに、消毒液によって消毒される。なお前述した通り、ダクト３１における一つの列のノズル孔３１ｂと、別の列のノズル孔３１ｂとは互い違いに配設されているので、満遍なく上記攪拌がなされ、良好な洗浄および消毒効果が得られる。
【００４１】
さらに本実施形態では、多数設けられた短冊状部材２４が、上記洗浄水や空気によって便座上面１１ａ上で不規則に動かされる。それによりブラッシング効果が得られるので、洗浄水を吹き付けただけでは落ちないような汚れも良く落ちるようになる。
【００４２】
以上の洗浄および消毒が所定時間続けられた後、まず消毒液ポンプ４７の駆動が停止され、その状態で洗浄が所定時間続けられると、次に洗浄水ポンプ４２の駆動が停止される。ブロワ３４はそのままさらに駆動され、それにより、ダクト３１のノズル孔３１ｂから噴出した空気によって便座上面１１ａが乾燥される。この乾燥が所定時間行われると、次にブロワ３４の駆動が停止される。以上の処理により、便座上面１１ａは綺麗に洗浄、消毒されるので、次のトイレ使用者は、気持ち良くこの洋式トイレ装置１を使用できるようになる。なお、以上の処理が終了したならば、操作パネル６１において例えば「便座洗浄・消毒済み」等の表示を出すようにすれば、次のトイレ使用者がその表示を確認することにより、より安心して洋式トイレ装置１を使用できるようになる。
【００４３】
そして本実施形態の洋式トイレ装置１においては、前述した通りの底板５０ａおよび側壁５０ｂからなる水受け皿５０が設けられているので、便座１１よりも外側に飛散する洗浄水および消毒液は上記側壁５０ｂで受け止められ、便座上面１１ａから落ちた洗浄水および消毒液と共に底板５０ａに受けられる。そしてそれらの洗浄水および消毒液は、底板５０ａの内縁から便器本体１０内に落とされるので、洋式トイレ装置１の周囲が洗浄水や消毒液によって汚されることがなくなる。
【００４４】
なお、洗浄水および消毒液がより確実に便器本体１０内に落ちるようにするためには、図２に表れているように、底板５０ａの上面に、内方に向かって次第に低くなるような傾斜を付けておくのが好ましい。またそれとともに便座１１の上面１１ａも、内方に向かって次第に低くなるように傾斜した形としておくのが望ましい。さらには図４に側断面形状を示すように便座上面１１ａを、前後方向においても、後方に行くほど低下する傾斜面としておくのがより望ましい。そのようにすれば、便座上面１１ａの上の洗浄水や消毒液が便座１１の後端側に伝い落ち、その後端側の便座内周縁から便器本体１０内に落ちやすくなる。
【００４５】
また本実施形態では、図２に示されるように、便蓋１２の側壁１２ａが水受け皿５０の側壁５０ｂと組み合った形となって、それら両者によって便座１１の外側が閉じられる状態になる。それにより、便座１１よりも外側に飛散しようとする洗浄水や消毒液は、水受け皿５０の側壁５０ｂのみならず便蓋側壁１２ａによっても遮断されるので、それらの洗浄水や消毒液によって洋式トイレ装置１の周囲が汚されることがより確実に防止される。さらに、便座上面１１ａで跳ねて上方に飛散しようとする洗浄水や消毒液も便蓋１２により遮断されて、水受け皿５０の底板５０ａ上や、あるいは直接便器本体１０内に落ちるようになる。
【００４６】
また本実施形態では洗浄手段として、特に、便座上面１１ａに沿って延びる洗浄水配管２１からこの上面１１ａに向けて洗浄水を噴出するものが用いられているので、洗浄ヘッドが便座に沿って移動するような従来装置と比べると、便座洗浄のための構造が著しく簡素化されるので、洋式トイレ装置１のコストを低く抑えることができる。
【００４７】
さらに本実施形態では、便座上面１１ａにブラッシング用空気を吹き付ける手段として乾燥手段３０が兼用されているので、ブラッシングを行うための追加コストを低く抑えることができる。
【００４８】
また、以上説明した実施形態においては、操作パネル６１に設けられたボタン６２が操作されると便座洗浄が開始するようになっているが、トイレ使用者が便座１１上から退出したことを光電センサなどによって検出し、その検出から所定時間が経過したら自動的に洗浄を開始するようにしてもよい。
【００４９】
また上記実施形態では、洗浄水と消毒液とを各々専用の手段によって便座上面１１ａ上に供給するようにしているが、洗浄水タンク４４に貯える洗浄水に消毒液を混合させるようにすれば、消毒液を便座上面１１ａ上に供給するための専用の手段を設けなくても済むことになる。さらに、洗浄水を送る経路の途中で、洗浄水に消毒液を混合させても構わない。なお、上述のようにして消毒液を便座上面１１ａに掛けることは、本発明において必ずしも必要ではない。しかし消毒液も用いれば、便座上面１１ａをより衛生的に保てるようになることは勿論である。
【図面の簡単な説明】
【００５０】
【図１】本発明の一実施形態による洋式トイレ装置を示す概略斜視図
【図２】図１の洋式トイレ装置の一部を示す断面図
【図３】図１の洋式トイレ装置の一部を示す平面図
【図４】図１の洋式トイレ装置の一部を示す断面図
【符号の説明】
【００５１】
１    洋式トイレ装置
１０    便器本体
１１    便座
１１ａ  便座の上面
１２    便蓋
１２ａ  便蓋の側壁
２０    洗浄手段
２１    洗浄水配管
２２    保持部材
２３    消毒液配管
２４    短冊状部材
３０    乾燥手段
３１    ダクト
３１ａ  ダクトの表面
３１ｂ  ノズル孔
３２、４０、４５    可撓管
３３、４１、４３、４６、４８    配管
３４    ブロワ
４２    洗浄水ポンプ
４４    洗浄水タンク
４７    消毒液ポンプ
４９    消毒液タンク
５０    水受け皿
５０ａ  水受け皿の底板
５０ｂ  水受け皿の側壁
【図１】
2009254607.tif 000003
【図２】
2009254607.tif 000004
【図３】
2009254607.tif 000005
【図４】
2009254607.tif 000006